(57)【要約】【課題】アンテナごとに受信可能なチャンネルが異なるため、一方のアンテナにより視聴予約や録画予約を行った場合に、他方のアンテナに切り替えられた場合には、適切に視聴予約や録画予約を実行することができないという課題が生じる。【解決手段】固定受信用アンテナからの放送波を受信する第１の受信手段と移動受信用アンテナからの放送波を受信する第２の受信手段とのいずれかをスイッチング回路により選択する選択手段と、選択手段により選択された放送波を復調し、デジタル信号を出力する復調手段と、復調手段により所定時間後に出力されるデジタル信号の視聴又は録画を予約する予約手段と、受信手段が切り替えられたことを検出する検出手段と、予約手段により予約がされている場合に、検出手段により受信手段が切り替えられたことを検出した場合には、警告信号を出力する出力手段とを備えたことを特徴とする受信装置である。【選択図】図２
2012094930.tif 000002
【特許請求の範囲】
【請求項１】
固定受信用アンテナからの放送波を受信する第１の受信手段と、
移動受信用アンテナからの放送波を受信する第２の受信手段と、
前記第１の受信手段と前記第２の受信手段のいずれかをスイッチング回路により選択する選択手段と、
前記選択手段により選択された放送波を復調し、デジタル信号を出力する復調手段と、
前記復調手段により所定時間後に出力されるデジタル信号の視聴又は録画を予約する予約手段と、
放送波を受信する第１の受信手段と第２の受信手段とが切り替えられたことを検出する検出手段と、
前記予約手段により予約がされている場合に、前記検出手段により受信手段が切り替えられたことを検出した場合には、警告信号を出力する出力手段とを備えたことを特徴とする受信装置。
【請求項２】
固定受信用アンテナからの放送波を受信する第１の受信手段と、
移動受信用アンテナからの放送波を受信する第２の受信手段と、
前記第１の受信手段と前記第２の受信手段のいずれかをスイッチング回路により選択する選択手段と、
前記選択手段により選択された放送波を復調し、デジタル信号を出力する復調手段と、
前記復調手段により所定時間後に出力されるデジタル信号の視聴又は録画を予約する予約手段と、
放送波を受信する第１の受信手段と第２の受信手段とが切り替えられたことを検出する検出手段と、
前記予約手段により予約された時間になり、且つ、前記検出手段により受信手段が切り替えられたことを検出した場合には、前記選択手段を切り替え前の受信手段に変更することを特徴とする受信装置。
【請求項３】
前記検出手段は、前記選択手段のスイッチング回路を検出することにより、受信手段が切り替えられたことを検出することを特徴とする請求項１又は２記載の受信装置。
【請求項４】
前記復調手段は、前記第１の受信手段又は前記第２の受信手段からの放送波を復調する第１の復調回路と、前記第１の復調回路により復調されていない受信手段からの放送波を復調する第２の復調回路により構成されており、前記第１の復調回路により復調されたデジタル信号をデコードする第１のデコード手段と、
前記第１のデコード手段によりデコードされたデジタル信号を表示する表示手段とを備え、
前記検出手段は、前記第２の復調回路により復調されたデジタル信号の同期信号により、受信手段が切り替えられたことを検出することを特徴とする請求項１又は２のいずれかに記載の受信装置。
【請求項５】
前記受信手段は、前記第２の復調回路により復調された放送波をデコードする第２のデコード手段を備え、
前記検出手段は、前記第２のデコード手段によりデコードされたデジタル信号に含まれるチャンネルの有無を検出することにより、受信手段が切り替えられたことを検出することを特徴とする請求項４記載の受信装置。
【請求項６】
前記受信装置は、さらに、前記予約手段により予約された予約情報を記録する記録手段を備え、前記予約情報には、前記第１の受信手段又は前記第２の受信手段のいずれにより受信可能な放送であるかを示す情報が付加されていることを特徴とする請求項１から５のいずれかに記載の受信装置。
【請求項７】
固定受信用アンテナからの放送波を第１の受信手段により受信すると第１の受信ステップと、
移動受信用アンテナからの放送波を第２の受信手段により受信する第２の受信ステップと、
前記第１の受信ステップ又は前記第２の受信ステップからの放送波を復調手段により復調し、デジタル信号を出力する復調ステップと、
前記復調手段により所定時間後に出力されるデジタル信号の視聴又は録画を予約手段により予約する予約ステップと、
放送波を受信する第１の受信手段と第２の受信手段とが切り替えられたことを検出手段により検出する検出ステップと、
前記予約ステップにより予約がされている場合に、前記検出ステップにより受信手段が切り替えられたことを検出した場合には、出力手段により警告信号を出力する出力ステップとを備えたことを特徴とする受信方法。
【発明の詳細な説明】
【技術分野】
【０００１】
本発明は、複数のアンテナを用いて、電波を受信する受信装置及び受信方法に関するものである。特に、固定受信用アンテナと移動受信用アンテナを併用する受信装置及び受信方法に関する。
【背景技術】
【０００２】
従来、アンテナとしては、屋内に設置された固定の受信装置に対して、屋外にＵＨＦアンテナ、ＶＨＦアンテナ、ＢＳアンテナ、ＣＳアンテナを設置し、それらのアンテナ（固定受信用アンテナとする。）にアンテナ線を接続し、アンテナ線を屋内の壁面に設けたプラグコンセントと接続し、プラグコンセントと固定用の受信装置を同軸ケーブルにより接続することにより、固定用の受信装置が電波を受信する方法や、特許文献１のように、車に搭載された移動可能な受信装置に対して、ガラスアンテナ（移動受信用アンテナとする。）を設置し、移動可能な受信装置が電波を受信する構成が知られている。
【特許文献１】特開２００７−５３５０５号公報
【発明の開示】
【発明が解決しようとする課題】
【０００３】
しかしながら、従来の固定の受信装置の受信方法では、プラグコンセント（固定受信用アンテナ）が設けられた位置に応じて、固定の受信装置の設置場所が決定されることが多いため、受信装置の設置位置を規制することとなるという課題がある。また、一方で、従来の移動可能な受信装置の受信方法では、移動受信用アンテナの特性より、電波の受信性能が悪いため、受信感度に課題がある。
ここで、それらの課題を解決するために、壁面に設けられたプラグコンセント（固定受信用アンテナ）及びガラスアンテナ（移動受信用アンテナ）のいずれのアンテナにも対応可能な受信装置により、電波が安定した受信感度の良い状態で視聴する場合は、固定受信用アンテナにより電波を受信し、一方プラグコンセントが無い場所に、受信装置の設置位置を移動し視聴する場合は、移動受信用アンテナにより電波を受信することにより、この課題を解決することも考えられる。
【０００４】
しかしながら、この場合であっても、アンテナごとに受信可能なチャンネルが異なるため、一方のアンテナにより視聴予約や録画予約を行った場合に、他方のアンテナに切り替えられた場合には、適切に視聴予約や録画予約を実行することができないという課題が生じる。
以上のように、複数のアンテナから電波を受信する場合には、従来の一つのアンテナにより電波を受信する場合には生じなかった種々の課題が生じる。
本発明はこのような課題を鑑みてなされたものであり、複数のアンテナから電波を受信する場合であっても、上記の課題を解決可能な受信装置及び受信方法を提供することを目的とする。
【課題を解決するための手段】
【０００５】
（１）上記課題を解決するため、本発明の表示装置は、固定受信用アンテナからの放送波を受信する第１の受信手段と、移動受信用アンテナからの放送波を受信する第２の受信手段と、前記第１の受信手段と前記第２の受信手段のいずれかをスイッチング回路により選択する選択手段と、前記選択手段により選択された放送波を復調し、デジタル信号を出力する復調手段と、前記復調手段により所定時間後に出力されるデジタル信号の視聴又は録画を予約する予約手段と、放送波を受信する第１の受信手段と第２の受信手段とが切り替えられたことを検出する検出手段と、前記予約手段により予約がされている場合に、前記検出手段により受信手段が切り替えられたことを検出した場合には、警告信号を出力する出力手段とを備えたことを特徴とする受信装置である。
【０００６】
（２）また、本発明の受信装置は、固定受信用アンテナからの放送波を受信する第１の受信手段と、移動受信用アンテナからの放送波を受信する第２の受信手段と、前記第１の受信手段と前記第２の受信手段のいずれかをスイッチング回路により選択する選択手段と、前記選択手段により選択された放送波を復調し、デジタル信号を出力する復調手段と、前記復調手段により所定時間後に出力されるデジタル信号の視聴又は録画を予約する予約手段と、放送波を受信する第１の受信手段と第２の受信手段とが切り替えられたことを検出する検出手段と、前記予約手段により予約された時間になり、且つ、前記検出手段により受信手段が切り替えられたことを検出した場合には、前記選択手段を切り替え前の受信手段に変更することを特徴とする受信装置である。
【０００７】
（３）また、本発明の受信装置は、前記検出手段は、前記選択手段のスイッチング回路を検出することにより、受信手段が切り替えられたことを検出することを特徴とする受信装置である。
【０００８】
（４）また、本発明の受信装置は、前記復調手段は、前記第１の受信手段又は前記第２の受信手段からの放送波を復調する第１の復調回路と、前記第１の復調回路により復調されていない受信手段からの放送波を復調する第２の復調回路により構成されており、前記第１の復調回路により復調されたデジタル信号をデコードする第１のデコード手段と、前記第１のデコード手段によりデコードされたデジタル信号を表示する表示手段とを備え、前記検出手段は、前記第２の復調回路により復調されたデジタル信号の同期信号により、受信手段が切り替えられたことを検出することを特徴とする受信装置である。
【０００９】
（５）また、本発明の受信装置は、前記受信手段は、前記第２の復調回路により復調された放送波をデコードする第２のデコード手段を備え、前記検出手段は、前記第２のデコード手段によりデコードされたデジタル信号に含まれるチャンネルの有無を検出することにより、受信手段が切り替えられたことを検出することを特徴とする受信装置である。
【００１０】
（６）また、本発明の受信装置は、さらに、前記予約手段により予約された予約情報を記録する記録手段を備え、前記予約情報には、前記第１の受信手段又は前記第２の受信手段のいずれにより受信可能な放送であるかを示す情報が付加されていることを特徴とする受信装置である。
【発明の効果】
【００１１】
本発明によれば、受信性能の異なる複数のアンテナから電波を受信する場合であっても、適切に視聴予約や録画予約を行うことが可能な受信装置を提供することができる。
【発明を実施するための最良の形態】
【００１２】
（実施の形態１）
＜１、受信手段の全体構成＞
本発明の第１の実施の形態における受信装置について説明する。図１は、本発明の第１の実施の形態における受信装置の全体構成を示す概念図である。図１の（Ａ）は、移動受信用アンテナから放送波を受信する場合の全体構成図を示しており、一方、図１の（Ｂ）は、固定受信用アンテナから放送波を受信する場合の全体構成図を示している。
【００１３】
図１（Ａ）に示すように、受信装置は、固定受信用アンテナからの放送波を受信する第１の受信手段１００と、４ダイバーシティーアンテナ等により構成される移動受信用アンテナからの放送波を受信する第２の受信手段１０２と、第１の受信手段１００と第２の受信手段１０２といずれかのアンテナにより受信された放送波をスイッチング回路により選択する選択手段１０４と、選択手段１０４により選択された放送波を復調し、デジタル信号を出力する復調手段１０６とにより構成されている。図１（Ａ）においては、選択手段１０４により第２の受信手段１０２からの放送波が選択されており、復調手段１０６においては、第２の受信手段１０２からの放送波が復調され、デジタル信号として出力されている。
【００１４】
一方、図１（Ｂ）においても、上述した図１（Ａ）と同様に、一般的に屋外にＵＨＦアンテナ、ＶＨＦアンテナ、ＢＳアンテナ、ＣＳアンテナ等により構成される固定受信用アンテナからの放送波を受信する第１の受信手段１００と、移動受信用アンテナからの放送波を受信する第２の受信手段１０２と、第１の受信手段１００と第２の受信手段１０２といずれかのアンテナにより受信された放送波をスイッチング回路により選択する選択手段１０４と、選択手段１０４により選択された放送波を復調し、デジタル信号を出力する復調手段１０６により構成されている。図１（Ｂ）においては、選択手段１０４により第１の受信手段１００からの放送波が選択されており、復調手段１０６においては、第１の受信手段１００からの放送波が復調され、デジタル信号として出力されている。
このように、本発明の第１の実施の形態における受信装置においては、固定受信用アンテナからの放送波を受信可能な第１の受信手段１００と、移動受信用アンテナからの放送波を受信可能な第２の受信手段１０２の２つの受信手段を備えたことにより、電波が安定した受信感度の良い状態で視聴する場合は、固定受信用アンテナにより電波を受信し、一方プラグコンセントが無い場所に、受信装置の設置位置を移動し視聴する場合は、移動受信用アンテナにより電波を受信することが可能になるものである。
【００１５】
次に、図２を参照しながら、本発明の第１の実施の形態における受信装置について、より詳細に説明する。
【００１６】
＜２、受信装置の詳細な構成＞
図２に示すように、本発明の第１の実施の形態における受信装置は、一般的に屋外にＵＨＦアンテナ、ＶＨＦアンテナ、ＢＳアンテナ、ＣＳアンテナ等により構成される固定受信用アンテナからの放送波を受信する第１の受信手段１００と、４ダイバーシティーアンテナ等により構成される移動受信用アンテナからの放送波を受信する第２の受信手段１０２と、第１の受信手段１００と第２の受信手段１０２といずれかのアンテナにより受信された放送波をスイッチング回路により選択する選択手段１０４と、選択手段１０４により選択された放送波を復調し、デジタル信号を出力する復調手段１０６と、復調手段１０６により出力されたデジタル信号をデコードするデコード手段１０８と、デコード手段１０８によりデコードされたデジタル信号に含まれる映像信号を表示する表示手段１１０と、リモコン等により構成され、復調手段１０６により所定時間後に出力されるデジタル放送の視聴又は録画を予約する予約手段１１２と、放送波を受信する第１の受信手段１００と第２の受信手段１０２との接続が、選択手段１０４において変更されたことを検出する検出手段１１４と、受信装置のユーザーに対して警告信号を出力する出力手段１１６と、選択手段１０４、復調手段１０６、デコード手段１０８、表示手段１１０、予約手段１１２、検出手段１１４、出力手段１１６を制御する制御手段１１８とにより構成されている。
【００１７】
＜３−１、受信装置の処理フロー＞
上述した受信装置における処理フローについて、図３を参照しながら説明する。図３は、図２に示した受信装置において、リモコン等により構成され、復調手段１０６により所定時間後に出力されるデジタル放送の視聴又は録画を予約する予約手段１１２において、今後放送される複数の番組について、視聴予約を行う場合の処理について説明したものである。
【００１８】
最初に、受信装置の視聴予約については、図示していない記録手段等にそれらの視聴予約が記録されているものとする。
【００１９】
次に、受信装置は、上述した視聴予約がなされているか否かを確認する（ステップ２０２）。このような視聴予約がなされているか否かの確認については、所定時間間隔で行う構成としてもよく、また、通常番組は３０分や１時間、２時間という固定時間で放送されていることが多いことから、それらの時間間隔に応じて行うことも可能である。ここで、視聴予約がなされていない場合には、特別に処理を行う必要がないため、処理を終了する（ステップ２０４）。一方、視聴予約がなされている場合には、ステップ２０５の処理を行う。
【００２０】
次に、ステップ２０５においては、番組が視聴予約された時点における受信手段を検出する。具体的には、上述したように、本発明の第１の実施の形態における受信装置においては、一般的に屋外にＵＨＦアンテナ、ＶＨＦアンテナ、ＢＳアンテナ、ＣＳアンテナ等により構成される固定受信用アンテナからの放送波を受信する第１の受信手段１００と、４ダイバーシティーアンテナ等により構成される移動受信用アンテナからの放送波を受信する第２の受信手段１０２との２つの受信手段が存在しており、番組が視聴予約された時点において、第１の受信手段１００又は第２の受信手段１０２のいずれの受信手段で放送波をしていたかを検出する。
【００２１】
次に、ステップ２０６において、現在使用している受信手段を検出する。つまり、選択手段１０４において、第１の受信手段１００又は第２の受信手段１０２のいずれの受信手段が使用されているかを検出する。
【００２２】
次に、ステップ２０８において、ステップ２０５により検出された番組が視聴予約された時点における受信手段と、ステップ２０６により検出された現在使用している受信手段が一致するか否かを検出する。このステップ２０８において受信手段が一致する場合には、受信装置は処理フローを終了し、番組の視聴予約を実行する。一方、受信手段が一致しない場合には、視聴予約された時間が所定時間以内であるか否かを検出する（ステップ２１０）。
【００２３】
ここで、この受信手段が一致するか否かを検出するステップの意味について、図４及び図５を参照しながら詳細に説明する。
【００２４】
図４は、固定受信用アンテナからの放送波を受信する第１の受信手段１００により、ユーザーがチャンネルスキャンを行った場合のチャンネルリスト（第１のチャンネルリスト）の一例を示しており、一方、図５は、移動受信用アンテナからの放送波を受信する第２の受信手段１０２により、ユーザーがチャンネルスキャンを行った場合のチャンネルリスト（第２のチャンネルリスト）の一例を示している。
【００２５】
この図４と図５とを比較すると、例えば、リモコン番号１番、ＣＨ０１１  ＮＮＫ総合・大阪、ワンセグＣＨ６１１  ＮＮＫ総合・大阪携帯について、ともに共通しているが、一方、リモコン番号３番、ＣＨ０３１  ヨンテレビ、ワンセグＣＨ６３１  ヨンテレビ携帯については、固定受信用アンテナからの放送波を受信する第１の受信手段１００により、ユーザーがチャンネルスキャンを行った場合のチャンネルリスト（第１のチャンネルリスト）には情報が取得されている一方、移動受信用アンテナからの放送波を受信する第２の受信手段１０２により、ユーザーがチャンネルスキャンを行った場合のチャンネルリスト（第２のチャンネルリスト）には情報が取得されていない。
【００２６】
従って、例えば、第１の受信手段１００により番組を視聴中に、リモコン番号３番、ＣＨ０３１  ヨンテレビ、ワンセグＣＨ６３１  ヨンテレビ携帯について視聴予約を行い、その後、視聴位置を移動して、第２の受信手段により番組を視聴している場合には、第２の受信手段１０２では、リモコン番号３番、ＣＨ０３１  ヨンテレビ、ワンセグＣＨ６３１  ヨンテレビ携帯を視聴することができないため、視聴予約を実行することができなくなる。
【００２７】
従って、図３において、ステップ２０８において、ステップ２０５により検出された番組が視聴予約された時点における受信手段と、ステップ２０６により検出された現在使用している受信手段が一致せず、さらに、ステップ２１０において、視聴予約された時間が所定時間以内となっている場合には、受信装置は、ステップ２１２において、ユーザーに視聴予約が正当に実行できないことを示す警告信号を出力する。これにより、ユーザーが再度第１の受信手段により視聴を開始することにより、適切に視聴予約を実行することが可能になるものである。
【００２８】
以上のように、このような構成により、本発明の第１の実施の形態における受信装置では、複数のアンテナを有し、番組が予約された時点における受信手段と、現在視聴中の受信手段とが異なる場合であっても、警告信号を出力することにより、ユーザーに対して、適切に視聴予約を実行させることが可能になるものである。
【００２９】
なお、上述した第１の実施の形態においては、視聴予約された時間が所定時間以内となっている場合に、警告信号を出力する構成としているが、本発明の第１の実施の形態における受信装置は、これに限定されるものではなく、例えば、第１の受信手段において視聴予約を行ったユーザーが、第１の受信手段から第２の受信手段における視聴に切り替えた時点において、警告信号を出力する構成とすることも可能である。
【００３０】
なお、上述した第１の実施の形態の処理フロー（図３）においては、視聴予約件数を１件とした場合を説明としているが、視聴予約件数を複数とし、例えば、登録している全ての視聴予約内容を確認する為に、Ｓ２０２〜Ｓ２１２の処理を、視聴予約件数を繰り返すように構成してもよいことは言うまでもない。
【００３１】
＜３−２、受信装置の処理フロー＞
上述した受信装置における処理フローについて、図６を参照しながら説明する。図６は、図２に示した受信装置の処理フローと、ステップ２１２のみがステップ２１３に変更したものである。それ以外の処理フローについては、同様の処理を行うため、その説明は省略する。
【００３２】
この処理フローにおいては、ステップ２１３において、選択手段１０４を切り替える処理を行う。具体的には、上述した例と同様に、第１の受信手段により番組を視聴中に、リモコン番号３番、ＣＨ０３１  ヨンテレビ、ワンセグＣＨ６３１  ヨンテレビ携帯について視聴予約を行い、その後、視聴位置を移動して、第２の受信手段により番組を視聴している場合には、第２の受信手段では、リモコン番号３番、ＣＨ０３１  ヨンテレビ、ワンセグＣＨ６３１  ヨンテレビ携帯を視聴することができないため、視聴予約を実行することができなくなる。
【００３３】
従って、図６において、ステップ２０８において、ステップ２０５により検出された番組が視聴予約された時点における受信手段と、ステップ２０６により検出された現在使用している受信手段が一致せず、さらに、ステップ２１０において、視聴予約された時間が所定時間以内となっている場合には、受信装置は、ステップ２１３において、制御手段１１８により選択手段１０４を第１の受信手段に自動的に切り替える。これにより、ユーザーが再度第１の受信手段により視聴を開始することにより、適切に視聴予約を実行することが可能になるものである。
【００３４】
なお、ユーザーが現在視聴中の番組を中断して、強制的に視聴予約を行う番組に切り替えるため、例えば、表示手段１１０に対して、視聴予約を実行するか否かを確認する画面を出力し、ユーザーに現在視聴中の番組又は視聴予約された番組のいずれかを選択させる構成とすることも可能である。
なお、上述した第１の実施の形態の処理フロー（図６）においては、視聴予約件数を１件とした場合を説明としているが、視聴予約件数を複数とし、例えば、登録している全ての視聴予約内容を確認する為に、Ｓ２０２〜Ｓ２１３の処理を、視聴予約件数を繰り返すように構成してもよいことは言うまでもない。
【００３５】
＜４、検出手段＞
次に、検出手段１１４の具体的な構成について説明する。検出手段の構成としては、例えば、（１）制御手段１１８を介して、選択手段１０４の状態を常に検出しておき、この選択手段１０４の切り替えを検出することにより実現することも可能である。また、（２）復調手段１０６において、複数の復調回路（第１の復調回路と第２の復調回路）を設ける構成としておき、第１の復調回路では、第１又は第２の受信手段において受信した放送波を復調し、デコード手段１０８でデコードし、表示手段１１０に表示する一方、第２の復調回路においては、復調されたデジタル信号の同期信号を検出することにより、受信手段の切り替わりを検出することにより実現することも可能である。さらに、（３）第２の復調回路により復調された放送波をデコードする第２のデコード手段を備え、第２のデコード手段によりデコードされたデジタル信号に含まれるチャンネルの物理チャンネル等を検出することにより、受信手段の切り替わりを検出することにより実現することも可能である。
【００３６】
なお、上述した第１の実施形態における受信装置では、予約手段１１２により予約された予約情報を記録する記録手段（図示せず）を備え、予約情報には、第１の受信手段１００又は第２の受信手段１０２のいずれにより受信可能な放送であるかを示す情報が付記されている構成とすることも可能である。
【００３７】
この構成により、例えば、ユーザーが予約情報を表示手段１１０に表示して確認する際に、あわせて、受信手段についても確認することが可能になり、より確実に視聴予約等を実行することが可能になるものである。
【００３８】
なお、上述した第１の実施形態における受信装置では、視聴予約について説明したが、本発明はこれに限定されるものではなく、外部機器（図示せず）に対して、録画を予約する録画予約についても同様の処理を行うことが可能である。
【００３９】
なお、上述した受信装置の処理方法は、本願発明の一例であって、同様の効果が生じる場合には、他の処理方法であっても良い。
【産業上の利用可能性】
【００４０】
本発明は、複数のアンテナを用いて、電波を受信する受信装置及び受信方法に利用することができる。
【図面の簡単な説明】
【００４１】
【図１】本発明の受信装置の全体構成を示す図
【図２】本発明の受信装置の全体構成を示す図
【図３】本発明の受信装置の動作を示すフローチャート
【図４】本発明のチャンネルリストの構成を示す図
【図５】本発明のチャンネルリストの構成を示す図
【図６】本発明の受信装置の動作を示すフローチャート
【符号の説明】
【００４２】
１００    第１の受信手段
１０２    第２の受信手段
１０４    選択手段
１０６    復調手段
１０８    デコード手段
１１０    表示手段
１１２    予約手段
１１４    検出手段
１１６    出力手段
１１８    制御手段
【図１】
2012094930.tif 000003
【図２】
2012094930.tif 000004
【図３】
2012094930.tif 000005
【図４】
2012094930.tif 000006
【図５】
2012094930.tif 000007
【図６】
2012094930.tif 000008